(57)【要約】【課題】軽快な操作ができるとともに、操作部への不用意な接触を防止することで誤動作防止が可能となるスイッチを提供することを目的とする。【解決手段】ボタン１に第１の傾動子２および第２の傾動子３を回動自在に配設され、第１の傾動子２および第２の傾動子３には傾動軸２ｃおよび３ｂが形成される。ボタン１の操作に伴って、傾動動作の支軸となる傾動軸２ｃおよび３ｂが回転し、この回転に伴って接触機構を動作させることで電路の開閉を行う。【選択図】図１
2011076883.tif 000002
【特許請求の範囲】
【請求項１】
ケースに傾動自在に配設された操作部を傾動させて電路の開閉を行うスイッチにおいて、前記操作部はボタンと該ボタンに回動自在に配設された第１の傾動子および第２の傾動子からなり、該第１の傾動子および第２の傾動子には傾動軸が形成され、該傾動軸が前記ケースに形成された孔に回動自在に係合され、前記傾動軸が支点となって前記操作部が傾動することを特徴とするスイッチ。
【請求項２】
請求項１記載のスイッチにおいて、前記操作部の操作に伴う前記傾動軸の回転によって接触機構が操作されることを特徴とするスイッチ。
【請求項３】
請求項１記載のスイッチにおいて、前記第１の傾動子および第２の傾動子は略平板状であって、短側面近傍に前記ボタンとの結合部および前記傾動軸が夫々形成され、前記第１の傾動子の長辺と前記第２の傾動子の長辺の長さが異なることを特徴とするスイッチ。
【請求項４】
請求項１記載のスイッチにおいて、前記第１の傾動子または第２の傾動子の一方と前記ケースの間に弾性部材を配設したことを特徴とするスイッチ。
【請求項５】
請求項１記載のスイッチにおいて、前記操作部と前記接触機構を夫々独立したユニットで構成することを特徴とするスイッチ。
【発明の詳細な説明】
【技術分野】
【０００１】
本発明は、操作部の傾動により電路の開閉を行うスイッチに関するものである。
【背景技術】
【０００２】
従来の操作部を傾動することで電路の開閉を行うスイッチとして、棒状のレバーに軸を設け、スイッチ本体からレバーの上部が突出するように傾動自在にスイッチ本体内に配設し、レバーを傾動操作することで、スイッチ本体内に配設された可動接片を傾動させるトグルスイッチ（下記非特許文献１参照）があった。
【先行技術文献】
【非特許文献】
【０００３】
【非特許文献１】日本開閉器工業株式会社「２００９総合カタログ」
【発明の概要】
【発明が解決しようとする課題】
【０００４】
しかしながら、上記したトグルスイッチは、レバーが突出しているため不用意に接触して誤動作してしまう恐れがあり、誤動作を防止するためにレバーの突出部分を短くすると、長いレバーに比べて、大きな操作力が必要となるため操作性が損なわれるといった問題があった。
【０００５】
そこで本発明は、上記状況に鑑みて、操作性を損なうことなく操作部の突出部分を削減し、操作部への不用意な接触を防止することで誤動作を防止するスイッチを提供することを目的とする。
【課題を解決するための手段】
【０００６】
本発明は、上記目的を達成するために、
〔１〕ケースに傾動自在に配設された操作部を傾動させて電路の開閉を行うスイッチにおいて、前記操作部はボタンと該ボタンに回動自在に配設された第１の傾動子および第２の傾動子からなり、該第１の傾動子および第２の傾動子には傾動軸が形成され、該傾動軸が前記ケースに形成された孔に回動自在に係合され、前記傾動軸が支点となって前記操作部が傾動することを特徴とする。
〔２〕上記〔１〕記載のスイッチにおいて、前記操作部の操作に伴う前記傾動軸の回転によって接触機構が操作されることを特徴とする。
〔３〕上記〔１〕記載のスイッチにおいて、前記第１の傾動子および第２の傾動子は略長方形平板状であって、一方の短側面近傍に前記ボタンとの結合部と他方の短側面近傍に前記傾動軸が夫々形成され、前記第１の傾動子の長辺と前記第２の傾動子の長辺の長さが異なることを特徴とする。
〔４〕上記〔１〕記載のスイッチにおいて、前記第１の傾動子または第２の傾動子の一方と前記ケースの間に弾性部材を配設したことを特徴とする。
〔５〕上記〔１〕記載のスイッチにおいて、前記操作部と前記接触機構を夫々独立したユニットで構成することを特徴とする。
【発明の効果】
【０００７】
本発明によれば、次のような効果を奏することができる。
（１）操作部はボタンとボタンに回動自在に配設された第１の傾動子および第２の傾動子からなり、第１の傾動子および第２の傾動子には傾動軸が形成され、この傾動軸がケースに形成された孔に回動自在に係合され、傾動軸が支点となって操作部が傾動するので、操作力を第１の傾動子および第２の傾動子に分散することで、傾動子を短くしても大きな操作力が不要であるため軽快な操作が可能となり、傾動子を短くすることで操作部のケースから突出する部分を削減し、不用意な接触を防止することができるため、誤動作が防止できる。
（２）操作部はボタンとボタンに回動自在に配設された第１の傾動子および第２の傾動子からなり、第１の傾動子および第２の傾動子には傾動軸が形成され、この傾動軸がケースに形成された孔に回動自在に係合され、傾動軸が支点となって操作部が傾動するので、第１の傾動子および第２の傾動子に夫々接触機構を結合することができるため、１つの操作部で異なる接触機構を同時に操作することができる。
（３）操作部と接触機構を夫々独立したユニットとしたので、接触機構ユニットの基礎絶縁が破壊された場合でも操作部ユニットで感電に対する保護ができるため、二重絶縁構造が実現できる。
（４）操作部と接触機構を夫々独立したユニットとしたので、接触機構ユニットの結合数を変えるだけで、極数を容易に変更することができる。
（５）操作部と接触機構を夫々独立したユニットとしたので、接触機構が傾動軸の回転に伴って動作する構造であれば、接触機構ユニットを付け替えることで多様な接触機構に対応できる。
（６）第１の傾動子の長辺と前記第２の傾動子の長辺の長さが異なるので、ボタンの操作に伴って傾動する角度が異なるため傾動軸の回転量が異なり、傾動軸ごとに夫々異なる接触機構を動作させることができ、双方の電路の開閉のタイミングをずらしたり、一方を大電流に対応する接点とし他方を微小電流に対応する接点とするなど、多様な機能を１つの操作部で操作することができる。
【図面の簡単な説明】
【０００８】
【図１】本発明の実施例を示すスイッチの操作部の分解斜視図である。
【図２】本発明の実施例を示すスイッチの操作部の斜視図である。
【図３】本発明の実施例を示すスイッチの操作部の動作を示す図である。
【図４】本発明の実施例を示すスイッチの接触機構の分解斜視図である。
【図５】本発明の実施例を示すスイッチの接触機構の斜視図である。
【図６】本発明の実施例を示すスイッチの斜視図である。
【図７】本発明の実施例を示すスイッチの接触機構の動作を示す図である。
【発明を実施するための形態】
【０００９】
本発明は、操作部に回動自在に配設された２つの傾動子が傾動することで、電路を開閉することができる構成とする。よって、操作性を損なうことなく誤動作を防止することができる。
【実施例】
【００１０】
以下、本発明の実施例について、図面を参照しながら詳細に説明する。
【００１１】
図１は本発明の実施例を示すスイッチの操作部の分解斜視図、図２は本発明の実施例を示すスイッチの操作部の斜視図、図３は本発明の実施例を示すスイッチの操作部の動作を示す図であり、図３（ａ）は操作前、図３（ｂ）は操作途中、図３（ｃ）は操作後である。図４は本発明の実施例を示すスイッチの接触機構の分解斜視図、図５は本発明の実施例を示すスイッチの接触機構の斜視図、図６は本発明の実施例を示すスイッチの斜視図、図７は本発明の実施例を示すスイッチの接触機構の動作を示す図であり、図７（ａ）は操作前、図７（ｂ）は操作途中、図７（ｃ）は操作後である。
【００１２】
図１および２において、１はボタン、２は第１の傾動子、３は第２の傾動子、４はボタン１と第１の傾動子２を結合するピン、５はボタン１と第２の傾動子３を結合するピン、６は操作部ケース、７は第１の傾動子２と操作部ケース６の間に掛着される引張バネ、８は操作部ケースカバーである。ボタン１には側面に軸受孔１ａおよび１ｂが形成されている。第１の傾動子２は略平板状に形成され、一方の短側面近傍に軸受孔２ａと、他方の短側面近傍に傾動の支点になるとともに接触機構に操作を伝達する傾動軸２ｂと、他方の短側面に切欠を設け切欠の短側面近傍に引張バネ７が掛着される掛着孔２ｃが形成されている。第２の傾動子３は略平板状に形成され、一方の短側面近傍に軸受孔３ａと、他方の短側面近傍に傾動の支点になる傾動軸３ｂが形成されている。操作部ケース６には引張バネ７が掛着される掛着突起６ａと、傾動軸２ｃおよび３ｂが回動自在に係合される軸受孔６ｂが形成されている。
【００１３】
ボタン１の裏面には窪み（図示せず）が形成されており、この窪みに第１の傾動子２の先端が配設されるとともに軸受孔１ａおよび２ａにピン４が圧入されてボタン１と第１の傾動子２が回動自在に結合される。第２の傾動子３も同様に軸受孔１ｂおよび３ａにピン５が圧入されてボタン１と第２の傾動子３が回動自在に結合される。第１の傾動子２の掛着孔２ｃと操作部ケース６の掛着突起６ａに引張バネ７が掛着されるとともに、傾動軸２ｂおよび３ｂが軸受孔６ｂに係合されるように第１の傾動子２および第２の傾動子３が操作部ケース６に配設される。操作部ケースカバー８が操作部ケース６に被され、操作部ケース６の凹部６ｃに形成された嵌合凸部６ｄと操作部ケースカバー８の突片８ａに形成された嵌合孔８ｂが嵌合される。このとき、第１の傾動子２および第２の傾動子３の傾動軸２ｂおよび３ｂが軸受孔８ｃに係合されるとともに、操作部ケース６の掛着突起６ａが係合孔８ｄに係合されることにより、操作部ユニット１８が完成される。
【００１４】
以上のように構成された本発明のスイッチの操作部は、図３に示すように、ボタン１を右方向に操作すると、傾動軸２ｂおよび３ｂを支点として第１の傾動子２および第２の傾動子３が右方向に傾動する。そして、第２の傾動子３が操作部ケース６の内側面の傾斜に当接するとともに引張バネ７の付勢によりボタン１の状態が保持されて操作が完了する。このとき、ボタン１の操作に伴って傾動軸２ｂおよび３ｂが回転し、この回転により傾動軸２ｂおよび３ｂに結合された接触機構を操作することで電路の開閉を行う。
【００１５】
このように、本実施例に示すスイッチの操作部は、ボタン１に第１の傾動子２および第２の傾動子３を回動自在に配設したことで、ボタン１を傾動させるための操作力は第１の傾動子２および第２の傾動子３に分散されるため、ボタン１の操作部ケース６からの突出部分を削減するために第１の傾動子２および第２の傾動子３を短胴化しても大きな操作力が不要であるため軽快な操作感が得られ、ボタン１の突出部分を削減することでボタン１への不用意な接触を防止できるため、誤動作が防止できるという特徴を有している。また、ボタン１に第１の傾動子２および第２の傾動子３を回動自在に配設したことで、傾動軸２ｂおよび３ｂに夫々接触機構を結合することができるため、１つの操作で複数の接触機構を同時に動作させることができる。
そして、操作部と接触機構を夫々独立したユニットとしたため、接触機構の基礎絶縁が破壊されたときでも、操作部ユニット１８側で感電に対する保護ができるという特徴を有している。また、操作部と接触機構を夫々独立したユニットとしたため、接触機構が傾動軸２ｂおよび３ｂの回転に伴って動作する構造であれば、接触機構ユニットを付け替えることで様々な接触機構に対応できる。
さらに、第１の傾動子２および第２の傾動子３を異なる長さとしたため、傾動軸２ｂおよび３ｂの回転量が異なり、この回転に伴って動作する接触機構の動作量を変えることができるため、傾動軸ごとに夫々異なる接触機構を動作させることができ、多様な機能を１つの操作部で操作することができるという特徴を有している。
【００１６】
図４および５において、操作部ユニット１８で操作される接触機構の一例を示す。ここでは、傾動軸２ｂにのみ接触機構が結合される構造について説明する。９は可動接片、１０は第１の可動接片カバー、１１は第１の可動接片カバー１０と嵌合して可動接片９を挟持する第２の可動接片カバー、１２は接触機構ケース、１３は第１の可動接片カバー１０と接触機構ケース１２に掛着される引張バネ、１４は接触機構ケース１２に配設される端子、１５は端子１４を覆うように接触機構ケース１２に嵌合される端子カバー、１６は接触機構ケース１２と嵌合される接触機構ケースカバー、１７は接触機構ケース１２に螺合されるネジである。可動接片９は板状の導電部材を円弧状に折り曲げて形成され、円弧の両端には円弧の外方に向って突片９ａが形成され、この突片９ａに端子１４の固定接点１４ａおよび１４ｂと夫々接触する接点９ｂおよび９ｃが設けられている。第１の可動接片カバー１０には引張バネ１３を掛着する掛着突起１０ａおよび回転軸１０ｂが形成され、第２の可動接片カバー１１には回転軸１１ａが形成され、この回転軸１０ｂおよび１１ａを中心として回転可能となる。
【００１７】
第１の可動接片カバー１０に可動接片９が係合され、第２の可動接片カバー１１が第１の可動接片カバー１０に嵌合されることで可動接片９が挟持される。このとき、第１の可動接片カバー１０の掛着突起１０ａには引張バネ１３の一方が掛着される。固定接点１４ａおよび１４ｂが端子挿入孔１２ａから接触機構ケース１２の内側に突出するとともに固定接片１４ｃおよび１４ｄが接触機構ケース１２の底面に配設されるように端子１４が接触機構ケース１２の側面に配設され、端子カバー１５が接触機構ケース１２の端子１４を配設した側から被され、凹部１２ｂに形成された嵌合凸部１２ｃと突片１５ａに形成された嵌合孔１５ｂが嵌合される。端子１４が配設された接触機構ケース１２に第１の可動接片カバー１０および第２の可動接片カバー１１に挟持された可動接片９が配設され、このとき、第１の可動接片カバー１０の回転軸１０ｂが軸受孔１２ｅおよび１５ｃに係合されるとともに引張バネ１３の他方が掛着突起１２ｄに掛着される。接触機構ケースカバー１６が接触機構ケース１２に被され、凹部１２ｆに形成された嵌合凸部１２ｇと突片１６ａに形成された嵌合孔１６ｂが嵌合される。このとき、第２の可動接片カバー１１の回転軸１１ａが軸受孔１６ｃに係合される。そして、接触機構ケース１２の下方からネジ１７が固定接片１４ｃおよび１４ｄに形成された貫通孔１４ｅおよび１４ｆを介して接触機構ケース１２に螺合されることにより、接触機構ユニット１９が完成される。
【００１８】
そして、図６に示すように、各部品の結合孔６ｅ、８ｅ、１２ｈ、１５ｄおよび１６ｄを結合ピン２０で結合することで、操作部ユニット１８と接触機構ユニット１９が結合される。このとき、第１の傾動子２の傾動軸２ｂと第１の可動接片カバー１０の回転軸１０ｂが嵌合されることにより、スイッチ２１が完成される。
【００１９】
以上のように構成された本発明のスイッチは、図７に示すように、ボタン１を右方向に操作すると、傾動軸２ｂが右に回転する。この回転により傾動軸２ｂに嵌合された第１の可動接片カバー１０の回転軸１０ｂが回転する。この回転に伴って可動接片９が回転し、可動接片９の接点９ｂおよび９ｃが夫々端子１４の固定接点１４ａおよび１４ｂに接触し、端子１４間を導通させる。このとき、可動接片９は引張バネ１３の付勢により、接点間の十分な接触力が確保される。また、ボタン１を左方向に操作すると、傾動軸２ｂが左に回転し、この回転により回転軸１０ｂが回転する。この回転に伴って可動接片９が回転し、各接点が開離され、端子１４間が開放される。このとき、ボタン１の操作変位が一定量を超えると引張バネ１３により、第１の可動接片カバー１０が開離方向に付勢されることで可動接片９も付勢され、瞬時に接点間隙が確保される。また、スイッチ２１をパネル（図示せず）に取り付ける場合、操作部ケース６に設けられた固定孔６ｆがパネルに設けられたネジ孔とネジ（図示せず）によって螺合される。
【００２０】
このように、本実施例に示すスイッチは、ボタン１に第１の傾動子２および第２の傾動子３を回動自在に配設し、ボタン１の操作に伴って傾動軸２ｂが回転することで可動接片９を回転させて電路の開閉を行うため、軽快な操作ができるとともにボタン１の突出部分を削減することでボタン１への不用意な接触を防止できるため、操作性を損なうことなく誤動作を防止できるという特徴を有している。
また、操作部と接触機構を夫々独立したユニットとしたため、二重絶縁構造の実現や、多様な接触機構への対応が容易にできるという特徴を有している。
【００２１】
本実施例では、可動接片が円弧状の接触機構としたが、接触機構がボタンの操作に伴って回転する傾動軸に結合するとともに、その回転に伴って動作する構造であれば可動接片の形状は多様に変更可能であって、板状やディスク状などの可動接片による接触機構としてもよい。また、可動接片を一方の傾動軸にのみ結合しているが、２つの傾動軸に夫々結合してもよく、パネルへの取付方法も樹脂バネによるワンタッチ取付などとしてもよく、種々の方法が考えられる。
【００２２】
なお、本発明は上記の実施例に限定されるものではなく、本発明の趣旨に基づき種々の変形が可能であり、これらを本発明の範囲から排除するものではない。
【産業上の利用可能性】
【００２３】
本発明のスイッチは、操作性を損なうことなく誤動作を防止するスイッチとして利用可能である。
【符号の説明】
【００２４】
１                          ボタン
１ａ，１ｂ，２ａ，３ａ，６ｂ，８ｃ，１２ｅ，１６ｃ  軸受孔
２                          第１の傾動子
２ｂ，３ｂ                  傾動軸
２ｃ                        掛着孔
３                          第２の傾動子
４，５                      ピン
６                          操作部ケース
６ａ，１０ａ，１２ｄ        掛着突起
６ｅ，８ｅ，１２ｈ，１６ｄ  結合孔
６ｃ，１２ｂ，１２ｆ        凹部
６ｄ，１２ｃ，１２ｇ        嵌合凸部
６ｆ                        固定孔
７，１３                    引張バネ
８                          操作部ケースカバー
８ａ，９ａ，１５ａ，１６ａ  突片
８ｂ，１５ｂ，１６ｂ        嵌合孔
８ｄ                        係合孔
９                          可動接片
９ｂ，９ｃ                  接点
１０                        第１の可動接片カバー
１０ｂ，１１ａ              回転軸
１１                        第２の可動接片カバー
１２                        接触機構ケース
１２ａ                      端子挿入孔
１４                        端子
１４ａ，１４ｂ              固定接点
１４ｃ，１４ｄ              固定接片
１４ｅ，１４ｆ              貫通孔
１５                        端子カバー
１６                        接触機構ケースカバー
１７                        ネジ
１８                        操作部ユニット
１９                        接触機構ユニット
２０                        結合ピン
２１                        スイッチ
【図１】
2011076883.tif 000003
【図２】
2011076883.tif 000004
【図３】
2011076883.tif 000005
【図４】
2011076883.tif 000006
【図５】
2011076883.tif 000007
【図６】
2011076883.tif 000008
【図７】
2011076883.tif 000009